(57)【特許請求の範囲】
【請求項１】
光源群の光源を駆動する動作駆動電流を決定するための電流決定装置であって、前記光源は出射する光の色を、当該光源を駆動するために用いられる駆動電流の変化に応じて変化させ、前記電流決定装置は、
前記光源群の光源の駆動電流に応じて当該光源によって出射される光の色のシフトを定める色シフト関数であって、前記光源群の全ての光源に関して同じである色シフト関数を提供する光特性シフト関数提供ユニットと、
目標色窓を提供する目標窓提供ユニットと、
前記光源群の光源が基準駆動電流によって駆動される場合、当該光源によって出射される光の基準色を提供する基準光特性提供ユニットと、
前記光源群の光源によって出射される光の色が、前記基準色から前記目標色窓内の色にシフトするよう、前記色シフト関数、前記目標色窓、及び前記基準色に基づいて動作駆動電流を決定する電流決定ユニットと
を含む、電流決定装置。
【請求項２】
前記電流決定ユニットは、前記動作駆動電流としてある電流波形を有する変調電流を決定し、
前記光特性シフト関数提供ユニットは、前記電流波形に応じて色シフトを定める色シフト関数を提供し、
前記電流決定ユニットは、前記光源によって出射される光の色が目標色窓内に含まれるよう、前記色シフト関数、前記目標色窓、及び前記基準色に基づいて前記動作駆動電流の電流波形を決定する、請求項１に記載の電流決定装置。
【請求項３】
前記電流決定ユニットは、前記動作駆動電流として変調電流を決定し、
前記光特性シフト関数提供ユニットは、前記動作駆動電流の振幅に応じて色シフトを定める色シフト関数を提供し、
前記電流決定ユニットは、前記光源によって出射される光の色が前記目標色窓内に含まれるよう、前記色シフト関数、前記目標色窓、及び前記基準色に基づいて前記動作駆動電流の振幅を決定する、請求項１に記載の電流決定装置。
【請求項４】
前記光特性シフト関数提供ユニットは、前記動作駆動電流の振幅及びパルス幅に応じて色シフトを定める色シフト関数を提供し、
前記電流決定ユニットは、前記光源によって出射される光の色が前記目標色窓内に含まれるよう、前記色シフト関数、前記目標色窓、及び前記基準色に基づいて前記動作駆動電流の振幅及びパルス幅を決定する、請求項３に記載の電流決定装置。
【請求項５】
前記電流決定手段は、平均動作駆動電流が所与の目標平均駆動電流窓内に含まれるようパルス幅を決定する、請求項３に記載の電流決定装置。
【請求項６】
前記光特性シフト関数提供ユニットは、前記光源群の光源の駆動電流に応じて当該光源によって出射される光の輝度のシフトを定める輝度シフト関数であって、前記光源群の全ての光源に関して同じである輝度シフト関数を提供し、
前記目標窓提供ユニットは、目標輝度窓を提供し、
前記基準光特性提供ユニットは、前記光源が基準駆動電流によって駆動される場合、前記光源によって出射される光の基準輝度を提供し、
前記電流決定ユニットは、前記光源によって出射される光の色が前記基準色から前記目標色窓内の色にシフトされ、前記光源の輝度が前記基準輝度から前記目標輝度窓内の輝度にシフトされるよう、前記色シフト関数、前記輝度シフト関数、前記目標色窓、前記目標輝度窓、前記基準色、及び前記基準輝度に基づいて、動作駆動電流を決定する、請求項１に記載の電流決定装置。
【請求項７】
前記電流決定ユニットは、前記動作駆動電流として変調電流を決定し、
前記光特性シフト関数提供ユニットは、前記動作駆動電流のパルス幅に応じて輝度シフトを定める輝度シフト関数を提供し、
前記電流決定ユニットは、前記光源によって出射される光の輝度が前記目標輝度窓内に含まれるよう、前記輝度シフト関数、前記目標輝度窓、及び基準輝度に基づいて前記動作駆動電流のパルス幅を決定する、請求項６に記載の電流決定装置。
【請求項８】
前記光特性シフト関数提供ユニットは、前記動作駆動電流の振幅及びパルス幅に応じて輝度シフトを定める輝度シフト関数を提供し、
前記電流決定ユニットは、前記光源によって出射される光の輝度が前記目標輝度窓内に含まれるよう、前記輝度シフト関数、前記目標輝度窓、及び前記基準輝度に基づいて前記動作駆動電流の振幅及びパルス幅を決定する、請求項７に記載の電流決定装置。
【請求項９】
前記光源群は、同じ構造、同じ形状、及び同じサイズのうちの少なくとも１つを満たす光源を有する、請求項１に記載の電流決定装置。
【請求項１０】
前記電流決定ユニットは、前記動作駆動電流として変調電流を決定し、前記光特性シフト関数提供ユニットは、駆動電流の振幅に一次従属する色シフト関数を提供する、請求項１に記載の電流決定装置。
【請求項１１】
前記電流決定ユニットは、前記光源の色が前記目標色窓の端の近く又は端の上に配置されるよう、前記動作駆動電流を決定する、請求項１に記載の電流決定装置。
【請求項１２】
前記光源は発光ダイオードである、請求項１に記載の電流決定装置。
【請求項１３】
光源を駆動するために用いられる駆動電流の変化に応じて当該光源によって出射される光の色を変化させる光源からなる光源群と、
前記光源群を駆動する動作駆動電流を決定する請求項１に記載の電流決定装置と
を含む、照明装置。
【請求項１４】
光源群の光源を駆動する動作駆動電流を決定するための電流決定方法であって、前記光源は、出射する光の色を当該光源を駆動するために用いられる駆動電流の変化に応じて変化させ、前記電流決定方法は、
前記光源群の光源の駆動電流に応じて当該光源によって出射される光の色のシフトを定める色シフト関数であって、前記光源群の全ての光源に関して同じである色シフト関数を、光特性シフト関数提供ユニットによって提供するステップと、
目標色窓を目標窓提供ユニットによって提供するステップと、
前記光源群の光源が基準駆動電流によって駆動される場合、前記光源群の光源によって出射される光の基準色を基準光特性提供ユニットによって提供するステップと、
前記光源群の前記光源によって出射される光の色が前記基準色から前記目標色窓内の色にシフトされるよう、前記色シフト関数、前記目標色窓、及び前記基準色に基づいて、動作駆動電流を電流決定ユニットによって決定するステップと
を含む、電流決定方法。
【請求項１５】
光源群の光源を駆動する動作駆動電流を決定するための電流決定コンピュータプログラムであって、前記光源は、出射する光の色を前記光源を駆動するために用いられる駆動電流の変化に応じて変化させ、前記電流決定コンピュータプログラムは、前記電流決定コンピュータプログラムが請求項１に記載の電流決定装置を制御するコンピュータ上でランされると、前記電流決定装置に請求項１４に記載の電流決定方法のステップを実行させるプログラムコード手段を有する、電流決定コンピュータプログラム。
【発明の詳細な説明】
【技術分野】
【０００１】
本発明は、光源群の光源を駆動する動作駆動電流を決定するための電流決定装置、電流決定方法、及び電流決定コンピュータプログラムに関する。本発明は、さらに、光源群及び電流決定装置を含む照明装置に関する。
【背景技術】
【０００２】
ＷＯ２０１０／０４６８１１Ａ１は、少なくとも２つのＯＬＥＤ（有機発光ダイオード）タイルを含むタイル型ＯＬＥＤ光源の少なくとも１つの光学的性質の均一性を向上するための装置及び方法を開示する。電力供給手段によりＯＬＥＤタイルに電力が供給される。電力供給手段は各ＯＬＥＤタイルへの電力を制御するための制御手段を有する。各ＯＬＥＤタイルの少なくとも１つの電気−光学的性質を決定するために、各ＯＬＥＤタイルの少なくとも１つの光学的性質が、電力に対応して測定される。制御手段は、ＯＬＥＤタイルの光学的性質の均一性に対する電気−光学的性質の変化の影響を補償するための電気−光学的性質を用いることによって改変される。
【発明の概要】
【発明が解決しようとする課題】
【０００３】
本発明の課題は、光源群の光源を駆動する動作駆動電流を決定するための電流決定装置、電流決定方法、及び電流決定コンピュータプログラムを提供することであり、これらの装置、方法、及びプログラムは、光源群が実質的に同じ色の光を出射するように光源を駆動するための駆動電流決定、及び対応する光源制御を容易化する。
【０００４】
本発明の第１の側面は、光源群の光源を駆動する動作駆動電流を決定するための電流決定装置であって、前記光源は出射する光の色を、当該光源を駆動するために用いられる駆動電流の変化に応じて変化させ、前記電流決定装置は、
前記光源群の光源の駆動電流に応じて当該光源によって出射される光の色のシフトを定める色シフト関数であって、前記光源群の全ての光源に関して同じである色シフト関数を提供する光特性シフト関数提供ユニットと、
目標色窓を提供する目標窓提供ユニットと、
前記光源群の光源が基準駆動電流によって駆動される場合、当該光源によって出射される光の基準色を提供する基準光特性提供ユニットと、
前記光源群の光源によって出射される光の色が、前記基準色から前記目標色窓内の色にシフトするよう、前記色シフト関数、前記目標色窓、及び前記基準色に基づいて動作駆動電流を決定する電流決定ユニットと
を含む、電流決定装置を提供する。
【０００５】
光特性シフト関数提供ユニットは、光源群の光源の駆動電流に応じて光源によって出射される光の色のシフトを定める色シフト関数を提供する。提供される色シフト関数は光源群の全ての光源に関して同じであるため、光源群の異なる光源の動作駆動電流を決定するために単一の色シフト関数を用いることができる。したがって、光源群の各光源に対応する色シフト関数を設ける必要がない。また、光源群の異なる光源のための単一の色シフト関数は、光源が製造される製造拠点において決定することができる。使用中、光源群は、単一の色シフト関数に基づいて決定された動作駆動電流に基づいて制御することができ、例えば、光源によって出射された光の色を検出し、検出された色に応じて光源を制御する光検出機構は必ずしも必要ではない。したがって、光源が実質的に同じ色の光を出射するように光源を駆動する動作駆動電流を決定することを単純化できる。
【０００６】
光特性シフト関数提供ユニットは、好ましくは光特性シフト関数が予め記憶されている記憶ユニットである。光特性シフト関数は、製造拠点において、駆動電流に関連して光源群の光源の色を測定することによって決定できる。
【０００７】
また、好ましくは目標窓提供ユニットも、目標色窓が予め記憶された記憶ユニットである。目標色窓は、製造拠点で予め定められて目標窓提供ユニット内に記憶されてもよいし、且つ／又は電流決定装置が製造された後、ユーザによって設定されてもよい。後者の場合、目標窓提供ユニットは、ユーザが所望の目標色窓を設定することを可能にする入力手段、例えばキーボード及びオプションのディスプレイを含み得る。
【０００８】
基準光特性提供ユニットも、好ましくは、光源が基準駆動電流によって駆動される場合に光源群の光源によって出射される光の基準色が予め記憶されている記憶ユニットである。基準色は、電流決定装置を配送する前、特に、ユーザに電流決定装置を含む照明装置を配送する前に、製造拠点において決定して基準光特性提供ユニット内に記憶することができる。基準色は、光源群の光源毎に異なってもよい。したがって、好ましくは、光特性シフト関数提供ユニットによって光源群の全ての光源に同じ色シフト関数、すなわち、単一の色シフト関数が提供される一方、基準光特性提供ユニットによって光源群の各光源に個別の基準色が提供される。電流決定ユニットは、光源群の各光源の光の色が対応する基準色から目標色窓内の色にシフトされるよう、単一の色シフト関数、（同様に光源群の異なる光源に関して同一である）単一の目標色窓、及び（光源群の光源によって異なり得る）基準色に基づいて、光源群の各光源の個別の動作駆動電流を決定する。
【０００９】
目標色窓は、複数の目標色値を有する目標範囲を定めてもよいし、単一の目標色値を定めてもよい。
【００１０】
色シフト関数は、解析関数でもよいし、駆動電流に応じた光の色のシフトを定める整数から構成されていてもよい。
【００１１】
色は、色座標系内の色点、例えばＣＩＥ色空間内の色点によって表すことができる。
【００１２】
基準電流は、好ましくは直流電流（ＤＣ）である。色シフト関数は、好ましくは、光源が基準ＤＣ電流によって駆動される場合に出射される光の基準色の、光源が動作駆動電流によって駆動される場合に出射される光の他の色へのシフトを定める。
【００１３】
一実施形態において、前記電流決定ユニットは、前記動作駆動電流として所定の電流波形を有する変調電流を決定し、前記光特性シフト関数提供ユニットは、前記電流波形に応じて色シフトを定める色シフト関数を提供し、前記電流決定ユニットは、前記光源によって出射される光の色が目標色窓内に含まれるよう、前記色シフト関数、前記目標色窓、及び前記基準色に基づいて前記動作駆動電流の電流波形を決定する。電流波形は、１つ又は複数のパラメータによって特徴づけることができ、したがって、色シフト関数は、この１つ又は複数のパラメータのうちの少なくとも１つに応じて色シフトを定めることができる。これに対応して、電流決定ユニットは、光源によって出射される光の色が目標色窓内に含まれるよう、色シフト関数、目標色窓、及び基準色に基づいて、動作駆動電流の電流波形を定める１つ又は複数のパラメータのうちの少なくとも１つを決定することができる。
【００１４】
例えば、電流決定ユニットは、動作駆動電流として変調電流を決定し得る。この場合、光特性シフト関数提供ユニットは、動作駆動電流の波形パラメータとみなすことができる動作駆動電流の振幅に応じて色シフトを定める色シフト関数を提供してもよく、電流決定ユニットは、光源によって出射される光の色が目標色窓内に含まれるよう、色シフト関数、目標色窓、及び基準色に基づいて動作駆動電流の振幅を決定する。また、光特性シフト関数提供ユニットも、どちらも動作駆動電流の波形パラメータとしてみなすことができる動作駆動電流の振幅及びパルス幅に応じて色シフトを定める色シフト関数を提供してもよく、電流決定ユニットは、光源によって出射される光の色が目標色窓内に含まれるよう、色シフト関数、目標色窓、及び基準色に基づいて動作駆動電流の振幅及びパルス幅を決定してもよい。これは、変調電流の振幅及びオプションでパルス幅を変更することによって、個々の光源の色を比較的簡単な方法でシフトすることを可能にする。
【００１５】
変調電流は、好ましくは方形波電流である。
【００１６】
さらに好ましくは、電流決定ユニットは、平均動作駆動電流が所与の目標平均駆動電流窓に含まれるようにパルス幅を決定する。目標平均駆動電流窓は単一の目標値を定めてもよいし、目標値の範囲を定めてもよい。一実施形態において、目標平均駆動電流窓は基準ＤＣ電流の電流値である、又は、基準ＤＣ電流の電流値を含む。平均動作駆動電流が所与の目標平均駆動電流窓内に含まれる場合、動作電流の振幅が変化しても輝度は実質的に一定であり得る。
【００１７】
一実施形態において、光特性シフト関数提供ユニットは、光源群の光源の駆動電流に応じて、光源によって出射される光の輝度のシフトを定める輝度シフト関数を提供する。前記光特性シフト関数提供ユニットは、前記光源群の光源の駆動電流に応じて当該光源によって出射される光の輝度のシフトを定める輝度シフト関数であって、前記光源群の全ての光源に関して同じである輝度シフト関数を提供し、前記目標窓提供ユニットは、目標輝度窓を提供し、前記基準光特性提供ユニットは、前記光源が基準駆動電流によって駆動される場合、前記光源によって出射される光の基準輝度を提供し、前記電流決定ユニットは、前記光源によって出射される光の色が前記基準色から前記目標色窓内の色にシフトされ、前記光源の輝度が前記基準輝度から前記目標輝度窓内の輝度にシフトされるよう、前記色シフト関数、前記輝度シフト関数、前記目標色窓、前記目標輝度窓、前記基準色、及び前記基準輝度に基づいて、動作駆動電流を決定する。電流決定ユニットは、シフトされた色が目標色窓内に含まれるだけでなく、シフトされた輝度が目標輝度窓内に位置するよう動作駆動電流を決定するため、光源群の光源を、各光源が実質的に同じ色及び実質的に同じ輝度の光を出射するよう制御することができる。また、輝度シフト関数は光源群の全ての光源で同じであるため、すなわち、単一の輝度シフト関数を光源群の全ての光源に用いることができるため、光源を駆動する動作駆動電流を、比較的簡単な方法で、光源によって出射される光の輝度が実質的に同じになるよう決定することができる。
【００１８】
目標輝度窓は、複数の目標輝度値を含む目標範囲を定めてもよいし、単一の目標輝度値を定めてもよい。
【００１９】
電流決定ユニットは、動作電流として変調電流を決定することができる。光特性シフト関数提供ユニットは、動作駆動電流のパルス幅に応じて輝度シフトを定める輝度シフト関数を提供してもよく、電流決定ユニットは、光源によって出射される光の輝度が目標輝度窓内に含まれるよう、輝度シフト関数、目標輝度窓、及び基準輝度に基づいて、動作駆動電流のパルス幅を決定してもよい。特に、光特性シフト関数提供ユニットは、動作駆動電流の振幅及びパルス幅に応じて輝度シフトを定める輝度シフト関数を提供し、電流決定ユニットは、光源によって出射される光の輝度が目標輝度窓内に含まれるよう、輝度シフト関数、目標輝度窓、及び基準輝度に基づいて動作駆動電流の振幅及びパルス幅を決定する。これは、対応する光源を駆動する個々の駆動電流のパルス幅及びオプションで振幅を変更することによって、比較的簡単な方法で光源群の光源の輝度をシフトすることを可能にする。
【００２０】
動作駆動電流が変調される場合、変調は、人が肉眼で追うには高すぎる周波数によって行われることに留意されたい。したがって、得られる色及び輝度は平均色及び平均輝度であり、色シフト関数及び輝度シフト関数は、人が知覚可能な平均色及び平均輝度を参照する。
【００２１】
好ましくは、光源群は、同じ構造（アーキテクチャ）、同じ形状、及び同じサイズのうちの少なくとも１つを満たす複数の光源からなる。特に、同じ群の光源は、同じ構造、同じ形状、及び同じサイズを有する。
【００２２】
同じ構造とは、好ましくは光源が同じ材料を含むことを指す。さらに、又はあるいは、同じ構造とは、好ましくは光源の製造において用いられた製造パラメータが同じであることを示す。
【００２３】
動作駆動電流は、好ましくは変調電流であり、色シフト関数は駆動電流の振幅に一次従属する。これは、単純に対応する解析一次関数を提供することによって、非常に簡単な方法で色シフト関数を提供することを可能にする。
【００２４】
一実施形態において、窓の端は窓の一部とみなすことができる。色が目標色窓の端上にシフトされた場合、色は目標色窓内にシフトされたとみなすことができる。特に、電流決定ユニットは、光源の光が目標色窓の端上又は端の近くに配置されるよう、動作駆動電流を決定してもよい。目標色窓の端は、目標色窓の境界としてみなすこともできる。目標色窓は、あらゆる所望の形状を有することができる。例えば、目標色窓は円形、楕円形又は長方形、特に正方形でもよい。一実施形態において、目標窓提供ユニットは、少なくとも２つの端辺を有する目標色窓を提供してもよく、電流決定ユニットは、色が目標色窓の各端辺の上又は近くにシフトされるよう、目標色窓の各端辺に対して駆動電流を決定し、決定された駆動電流のうち最小のものを動作駆動電流として決定してもよい。
【００２５】
一般的に、大きな色シフトをもたらすためには大きな電流が、特に大きな電流振幅が必要なことがわかった。例えば、シフトされた色が目標色窓の中央ではなく目標色窓の端の上又は近くに配置されるように動作駆動電流を決定することによって、各色を目標色窓内の位置にシフトする最小の動作駆動電流を、光源群の各光源に対して決定することができる。これは、電気熱損失を減らすことを可能にする。
【００２６】
電流決定装置は、好ましくは、決定された動作駆動電流に従って光源群の光源を制御する制御ユニットをさらに有する。制御ユニットは、電流決定装置を制御装置としてみなすことができるよう、電流決定装置の一部であってもよい。また、電流決定装置は、製造拠点で動作駆動電流を決定するためだけに用いられる別個の装置であってもよい。制御ユニットは、決定された動作駆動電流、特に、決定された動作駆動電流自身、及び／又は決定された動作駆動電流に従って光源を駆動する１つ又は複数の駆動ユニットを制御するための制御信号を表す電流データを記憶してもよい。
【００２７】
したがって、制御ユニットは対応する光源に流される動作電流を直接提供してもよいし、対応する光源に流される動作電流を生成する駆動ユニットに供給される制御信号を生成してもよい。特に、制御ユニットは、光源群の対応する光源を駆動する駆動ユニットに供給される制御信号を生成してもよい。制御信号は、決定された動作駆動電流に基づいて生成され、制御ユニット及び駆動ユニットは、生成された制御信号が、駆動ユニットに決定された動作駆動電流を少なくとも１つの光源に流すよう適合される。駆動ユニットが対応する光源に所望の動作駆動電流を流すことを可能にするために、所望の動作駆動電流、特に動作駆動電流の所望の振幅及びパルス幅と制御信号との間の従属性を、対応する駆動ユニットに入力することができる。この従属性は、制御ユニット又は他の記憶ユニット内に記憶することができる。制御ユニットは、対応する光源に流されるべき決定された動作駆動電流、及び記憶された制御信号と動作駆動電流との間の従属性に応じて制御信号を生成し得る。
【００２８】
光源は、好ましくは発光ダイオードであり、特にＯＬＥＤである。
【００２９】
本発明の他の側面は、光源を駆動するために用いられる駆動電流の変化に応じて当該光源によって出射される光の色を変化させる光源からなる光源群と、前記光源群を駆動する動作駆動電流を決定する前記電流決定装置とを含む、照明装置を提供する。
【００３０】
本発明の他の側面は、光源群の光源を駆動する動作駆動電流を決定するための電流決定方法であって、前記光源は、当該光源を駆動するために用いられる駆動電流の変化に応じて出射する光の色を変化させ、前記電流決定方法は、
前記光源群の光源の駆動電流に応じて当該光源によって出射される光の色のシフトを定める色シフト関数であって、前記光源の全ての光源に関して同じである色シフト関数を、光特性シフト関数提供ユニットによって提供するステップと、
目標色窓を目標窓提供ユニットによって提供するステップと、
前記光源群の光源が基準駆動電流によって駆動される場合、前記光源群の光源によって出射される光の基準色を基準光特性提供ユニットによって提供するステップと、
前記光源群の前記光源によって出射される光の色が前記基準色から前記目標色窓内の色にシフトされるよう、前記色シフト関数、前記目標色窓、及び前記基準色に基づいて、動作駆動電流を電流決定ユニットによって決定するステップと
を含む電流決定方法を提供する。
【００３１】
電流決定方法は、好ましくは光源群の光源を決定された動作駆動電流に従って制御ユニットによって制御するステップをさらに含む。
【００３２】
本発明の他の側面は、光源群の光源を駆動する動作駆動電流を決定するための電流決定コンピュータプログラムであって、前記光源は、前記光源を駆動するために用いられる駆動電流の変化に応じて出射する光の色を変化させ、前記電流決定コンピュータプログラムは、前記電流決定コンピュータプログラムが請求項１に記載の電流決定装置を制御するコンピュータ上でランされた場合に、前記電流決定装置に請求項１４に記載の電流決定方法のステップを実行させるプログラムコード手段を有する、電流決定コンピュータプログラムを提供する。
【００３３】
請求項１に記載の電流決定装置、請求項１３に記載の照明装置、請求項１４に記載の電流決定方法、及び請求項１５に記載の電流決定コンピュータプログラムは、従属請求項に記載された類似する且つ／又は同一の好適な実施形態を有することに留意されたい。
【００３４】
本発明の好適な実施形態は、対応する独立請求項と従属請求項とのあらゆる組み合わせであり得ることを理解されたい。
【図面の簡単な説明】
【００３５】
本発明のこれら及び他の側面は、下記の実施形態を参照して説明され、明瞭になるであろう。
【図１】図１は、光源群を有する照明装置の実施形態を概略的且つ例示的に示す。
【図２】図２は、ＯＬＥＤに流されるＤＣ駆動電流に対するＯＬＥＤの輝度の従属性を例示的に示す。
【図３】図３は、光源群を駆動する動作駆動電流を決定するための電流決定方法の実施形態を例示的に表すフローチャートを示す。
【図４】図４は、異なるＯＬＥＤに流される異なる動作駆動電流に対応する異なる色点を概略的且つ例示的に示す。
【図５】図５は、異なるＯＬＥＤに流される異なる動作駆動電流に対応する色点シフトを概略的且つ例示的に示す。
【図６】図６は、ＯＬＥＤに流される動作駆動電流に依存する色シフトを定める色シフト関数を概略的且つ例示的に示す。
【図７】図７は、同じ基準動作駆動電流が流される複数のＯＬＥＤの複数の基準色点を概略的且つ例示的に示す。
【図８】図８は、目標基準窓の外に基準色点があるＯＬＥＤに関して、色点が目標窓内にシフトされるよう動作駆動電流が決定され、ＯＬＥＤに流された後の色点を概略的且つ例示的に示す。
【発明を実施するための形態】
【００３６】
図１は、照明装置の実施形態を概略的且つ例示的に示す。照明装置１は、本実施形態ではＯＬＥＤである光源３、４、５の群を有する。各光源３、４、５は、対応する光源３、４、５によって出射された光の色６０、６１、６２を、対応する光源３、４、５を駆動するために用いられる駆動電流の変化に応じて変化させる。各光源３、４、５のための駆動電流は、対応する駆動ユニット１１、１２、１３によって供給される。光源３、４、５の群は、駆動ユニット１１、１２、１３を介して電流決定装置２によって制御される。
【００３７】
電流決定装置２は、対応する光源の駆動電流に応じて光源３、４、５群の光源によって出射された光の色のシフトを定める色シフト関数を提供する光特性シフト関数提供ユニット６を有する。提供される色シフト関数は、群の全ての光源３、４、５に関して同じである。色シフト関数は、例えば製造拠点で駆動電力に応じて光源群の光源によって出射された光の色点を測定することによって決定される。好ましくは、色シフト関数は、対応する光源が基準駆動電流によって駆動される場合に存在する基準色と、光源が他の駆動電流によって駆動される場合に存在する色との間のシフトを定める。基準駆動電流は、好ましくは基準ＤＣ電流であり、他の駆動電流は、好ましくは変調電流、すなわち、本実施形態では方形波電流である。よって、色シフト関数は、特に製造拠点で、光源に異なる変調駆動電流を流しながら、基準色から異なる他の色への色シフトを測定することによって測定することができる。
【００３８】
色シフト関数は、測定された色シフト及び対応する駆動電流に解析関数を適用することによって決定される解析関数でもよく、又は、測定された駆動電流に応じて対応する色シフトを定義する個々の値によって構成されてもよい。色シフト関数は、製造拠点において測定され、その後光特性シフト関数提供ユニット６内に記憶されてもよい、すなわち、光特性シフト関数提供ユニット６は、事前に色シフト関数が記憶された記憶ユニットでもよい。
【００３９】
色は、例えばＣＩＥ色空間内の色点等、好ましくは色座標系内の色点として表される。
【００４０】
電流決定装置は、さらに、目標色窓を提供するための目標窓提供ユニット７、及び光源が基準駆動電流によって駆動された場合に、光源群の光源によって出射される光の基準色を提供するための基準光特性提供ユニット８を有する。また、目標窓提供ユニット７及び基準光特性提供ユニット８は、好ましくは目標色窓及び基準色がそれぞれ事前に記憶されている記憶ユニットである。ただし、目標色窓７は、人によって所望の目標色窓に設定可能でもよい。
【００４１】
基準色は、好ましくは製造拠点において測定され、その後基準光特性提供ユニット８内に記憶される。一実施形態において、基準光特性提供ユニットは光源群の光源から基準色を受信するための受信ユニットを有し、各光源内には基準色が記憶されている。光源群に新しい光源が追加された場合、又は光源が他の光源によって置き換えられた場合、新しい光源は自身の基準色を基準光特性提供ユニットに送信し、基準光特性提供ユニットがその基準色を提供できるようにしてもよい。
【００４２】
電流決定装置は、さらに、光源３、４、５群の光源によって出射される光の色が基準色から目標色窓内の色にシフトされるよう色シフト関数、目標色窓、及び基準色に基づいて動作駆動電流を決定するための電流決定ユニット９を有する。電流決定装置２は、さらに、決定された動作駆動電流に基づいて光源３、４、５群の光源を制御する制御ユニット１０を有する。したがって、各光源３、４、５の光が目標色窓内におさまるよう、各光源３、４、５について、個別の動作駆動電流が決定される。互いに異なる個別の動作駆動電流は、同じ色シフト関数に基づいて決定される。具体的には、制御ユニット１０は各光源３、４、５に対して制御信号を生成する。制御信号は、対応する光源３、４、５に流される動作駆動電流を生成するための駆動ユニット１１、１２、１３に供給される。制御信号は、決定された個別の動作駆動電流に基づいて生成され、制御ユニット１０及び駆動ユニット１１、１２、１３は、生成された制御信号が駆動ユニット１１、１２、１３に対応する光源３、４、５へ決定された個別の動作駆動電流を流させるよう適合されている。
【００４３】
この実施形態において、目標色窓は、１つ以上の目標色点を有する目標範囲を定める。ただし、他の実施形態においては、目標色窓は単一の目標色点を定めてもよい。
【００４４】
光特性シフト関数提供ユニット６は、動作駆動電流の振幅に応じて色シフトを定める色シフト関数を提供するよう適合されてもよい。この場合、電流決定ユニットは、各光源によって出射された光の色が目標色窓内におさまるよう、色シフト関数、目標色窓、及び基準色に基づいて動作駆動電流の振幅を決定するよう適合されてもよい。さらに、光特性シフト関数提供ユニット６は、動作駆動電流の振幅及びパルス幅に応じて色シフトを定める色シフト関数を提供するよう適合されてもよい。また、電流決定ユニット９は、各光源３、４、５によって出射される光の色が目標色窓内におさまるよう、色シフト関数、目標色窓、及び基準色に基づいて動作駆動電流の振幅及びパルス幅を決定するよう適合されてもよい。また、光特性シフト機能提供ユニット６は、動作駆動電流の振幅に応じて色シフトを定める色シフト関数を提供するよう適合されてもよく、電流決定ユニット９は、ａ）各光源３、４、５によって出射された光の色が目標色窓内におさまるよう、色シフト関数に基づいて動作駆動電流の振幅を決定し、ｂ）動作駆動電流の平均が所与の目標平均駆動電流窓内におさまるようパルス幅を決定するよう適合されてもよい。目標平均駆動電流窓は、予め定義され、例えば目標窓提供ユニット７内に記憶されてもよい。好ましくは、目標平均駆動電流窓は基準ＤＣ電流の電流値であるか、基準ＤＣ電流の電流値を含む。
【００４５】
一実施形態においては、光特性シフト関数提供ユニット６は、さらに、光源３、４、５群の光源の駆動電流に応じて光源によって出射された光の輝度のシフトを定める輝度シフト関数を提供するよう適合される。輝度シフト関数は、群の全ての光源３、４、５について同じである。この場合、目標窓提供ユニット７は、目標輝度窓を提供するよう適合され、基準光特性提供ユニット８は、各光源３、４、５によって出射される光の基準輝度を提供するよう適合され、電流決定ユニット９は、光源によって出射される光の色が基準色から目標光窓内の色にシフトされるよう、そして、光源の輝度が基準輝度から目標輝度窓内の輝度にシフトされるよう、色シフト関数、輝度シフト関数、目標色窓、目標輝度窓、基準色、及び基準輝度に基づいて動作駆動電流を決定するよう適合される。光特性シフト関数提供ユニット６は、動作駆動電流のパルス幅に応じて輝度シフトを定める輝度シフト関数を提供するよう適合され、電流決定ユニット９は、各光源３、４、５によって出射される光の輝度が目標輝度窓内に含まれるよう、輝度シフト関数、目標輝度窓、及び基準輝度に基づいて動作駆動電流のパルス幅を決定するよう適合されてもよい。ただし、光特性シフト関数提供ユニット６は、動作駆動電流の振幅及びパルス幅に応じて輝度シフトを定める輝度シフト関数を提供するよう適合されてもよく、電流決定ユニット９は、対応する光源３、４、５によって出射された光の輝度が目標輝度窓内に含まれるよう、輝度シフト関数、目標輝度窓、及び基準輝度に基づいて動作駆動電流の振幅及びパルス幅を決定するよう適合されてもよい。駆動電流のパルス幅、及びオプションでさらに駆動電流の振幅に従属（依存）する輝度シフト関数は、対応する測定によって決定されてもよい。特に、製造拠点において、光源群の光源に異なるパルス幅、及びオプションで異なる振幅を有する異なる駆動電流を流す一方で基準駆動電流を流し、基準輝度に対する輝度シフトを測定する。
【００４６】
一実施形態においては、動作駆動電流の振幅及びパルス幅に依存して色シフトを定める色シフト関数が提供され、また、動作駆動電流の振幅及びパルス幅に依存して輝度シフトを定める輝度シフト関数が提供される。この場合、電流決定ユニット９は、各光源３、４、５から出射される光の色が基準色から目標色窓内の色にシフトし、且つ、各光源３、４、５の輝度が基準輝度から目標輝度窓内の輝度にシフトするよう、色シフト関数、輝度シフト関数、目標色窓、目標輝度窓、基準色、及び基準輝度に基づいて、動作駆動電流の振幅及びパルス幅を決定するよう適合され得る。
【００４７】
動作駆動電流は、人が肉眼で追うには高すぎる周波数によって変調される。したがって、該当するシフト関数、目標窓、及び電流決定ユニットが参照する色及び輝度は、平均色及び平均輝度である。
【００４８】
光源３、４、５群は同じ種類のものからなり、すなわち、光源３、４、５は、少なくとも同じ構造（アーキテクチャ）、同じ形状、及び同じサイズのいずれかの関係を有する。
【００４９】
一実施形態において、色シフト関数は、振幅及び／又はパルス幅に一次（線形）従属し得る。また、オプションである輝度シフト関数も、駆動電流の振幅及び／又はパルス幅に一次従属し得る。シフト関数が一次従属である場合、シフト関数は、好ましくは光特性シフト関数提供ユニット内に、対応する一次解析関数として記憶される。
【００５０】
図２は、ＯＬＥＤの輝度ＬのＯＬＥＤに流されるＤＣ電流Ｉに対する従属性を例示的に示す。四角６３及び四角６３をつなぐ線は、測定値を示し、直線６４は、線形近似を示す。一実施形態において、輝度シフト関数は、図２に示される従属性のずれとみなすことができ、また、変調動作駆動電流の平均に従属するとみなすことができる。また、したがって、すでに目標色窓内にシフトされた色を変えないために振幅が一定に保たれる場合、パルス幅に依存するとみなすことができる。したがって、一実施形態において、輝度シフト関数は、変調動作駆動電流の平均の変化に対して実質的に一定であり、よって、パルス幅の変化に対して実質的に一定である。ＯＬＥＤの輝度の変化に対して、動作駆動電流の平均はＤＣ電流Ｉに対応する。したがって、一実施形態において、動作駆動電流の振幅に従属する色シフト関数を用いることによって、変調動作駆動電流の振幅がすでに決定されている場合、輝度を目標輝度間内にシフトする際、変調動作駆動電流の平均が動作駆動電流のパルス幅によって決定され、輝度シフト関数が変調動作駆動電流のパルス幅に従属するとみなすことができるよう、色を実質的に再び変更しないために、振幅を一定に保つことができる。
【００５１】
目標窓の端は、目標窓の一部としてみなすことができる。ある色及び／又は輝度が対応する目標窓の端の上にシフトされた場合、色及び／又は輝度は、目標窓内にシフトされたとみなすことができる。したがって、電流決定ユニット９は、各光源３、４、５の色及びオプションで輝度が、対応する目標窓の端の上又は近くに位置するよう動作駆動電流を決定するよう適合され得る。色及び／又は輝度は、色及び／又は輝度が例えば目標窓の端の近辺又は隣に位置する場合、目標窓の端の近くに位置する。一実施形態において、目標色窓は少なくとも２つの端辺を有し、電流決定ユニット９は、目標色窓の対応する端辺の上又は近くに色がシフトされるよう、目標色窓の各端辺に対して駆動電流を決定し、決定された駆動電流のうち最小のものを動作駆動電流として決定する。
【００５２】
以下、図３のフローチャートを参照して、光源群の光源を駆動する動作駆動電流を決定するための電流決定方法の実施形態を例示的に説明する。
【００５３】
ステップ１０１において、光源３、４、５群の対応する光源の駆動電流に応じて光源によって出射される光の色のシフトを定める色シフト関数が、光特性シフト関数提供ユニット６によって提供される。色シフト関数は、群の光源３、４、５の全てに関して同じである。さらに、ステップ１０１では、目標窓提供ユニット７によって目標色窓が提供され、また、光源が基準駆動電流によって駆動される場合、光源３、４、５群の光源によって出射される光の基準色が基準光特性提供ユニット８によって提供される。
【００５４】
ステップ１０２において、動作駆動電流が、光源３、４、５群の対応する光源によって出射される光の色が基準色から目標色窓内の色にシフトされるよう、色シフト関数、目標色窓、及び基準色に基づいて電流決定ユニット９によって決定される。
【００５５】
ステップ１０１及び１０２は、基準色が目標色窓内に無い各光源に関して実行される。各光源には同じ色シフト関数、同じ目標色窓、及び個別の基準色が用いられる。
【００５６】
ステップ１０３において、決定された個別の動作駆動電流に基づいて、光源群の各光源３、４、５が駆動ユニット１１、１２、１３を介して制御ユニット１０によって個別に制御される。
【００５７】
上記実施形態では照明装置１は３つのＯＬＥＤのみ有するが、照明装置は３つ以上又は３つ以下のＯＬＥＤを有してもよい。特に、照明装置は複数の小サイズのＯＬＥＤユニットからなる全般照明用の大面積ＯＬＥＤ照明デバイスでもよく、これはマトリックス状に配置されたＯＬＥＤタイルとしても知られている。これらのＯＬＥＤタイルの使用は、単一の大面積ＯＬＥＤ照明デバイスに対していくつかの利点がある。製造歩留りを著しく上昇できる。直列接続により電力損失を減らすことができる。照明装置のフォールトトレランスを上昇することができる。幾何学的な外観を簡単にカスタマイズすることができる、例えば、ＯＬＥＤ照明装置はストリップ状（線状）、アスペクト比の異なる四角、又は他の形状を取り得る。
【００５８】
このＯＬＥＤタイルは単一の大面積タイルに対していくつかの利点を有する一方、個別のタイルのプロパティが異なるという不都合がある。製造公差のため、同じ製造バッチのＯＬＥＤであっても、発光スペクトルには通常違いが生じる。
【００５９】
上記の電流決定装置は、時間を浪費する校正処理を要さずに、個々のＯＬＥＤの色及びオプションで輝度の違いを補償することを可能にする。さらに、この補償は自己適応的且つスケーラブルであり得る。上記電流決定装置は色点及びオプションで輝度要求を満たす製造サンプルの数を増やすため、電子的な収率向上をもたらし得る。
【００６０】
色シフト関数及び輝度シフト関数は既知であるため、使用においては必ずしも校正処理を要することなく色シフト及び輝度シフトを計算することができる。
【００６１】
ＯＬＥＤが同じデバイス構造、形状、及びサイズを有する限り、ある製造バッチにおいて色シフト関数及び輝度シフト関数は同じである。同じ構造とはＯＬＥＤを形成するスタックの同じ材料を指し、例えば、電子注入、発光、正孔注入及び電極等のための材料である。また、同じ構造とは、好ましくはＯＬＥＤの製造において用いられた製造パラメータが同じであることを示す。
【００６２】
図４は、ＯＬＥＤのＣＩＥ色座標系、すなわちＣＩＥ色空間内の２つの色点を例示的に示す。曲線１５並びに円１７、１９、及び２０は、第１ＯＬＥＤの異なる駆動電流に対する異なる色点を示し、直線１４並びに円１６及び１８は、第２ＯＬＥＤの異なる駆動電流に対する異なる色点を示す。ＯＬＥＤが基準駆動電流によって駆動された場合、第２ＯＬＥＤの色点１８は目標色窓２１内に含まれるが、第１ＯＬＥＤの色点１９は目標色窓２１外にある。しかし、第１ＯＬＥＤに異なる駆動電流が流された場合、第１ＯＬＥＤも目標色窓２１内の色点２０を有する光を出射し得る。少なくとも目標色窓２１の近くにおいて、第１ＯＬＥＤの曲線１５及び第２ＯＬＥＤの曲線１４はほぼ同じ傾きを有し、これは点線２２及び２３によって示されるように一次関数によって近似することができる。したがって、２つのＯＬＥＤの２つの曲線１４及び１５は、少なくとも目標色窓２１の近傍において類似する挙動を示す。
【００６３】
図４が異なる駆動電流に対する絶対色点を示す一方、図５は、ＯＬＥＤが所定の駆動電流によって駆動されている間に測定された第１色点と、ＯＬＥＤが基準駆動電流によって駆動されている間に測定された第２色点との間の差である相対的色点を例示的に示す。したがって、第２色点は基準色である。図５において、曲線２５は第１ＯＬＥＤの異なる駆動電流に対する異なる相対的色点を示し、曲線２４は第２ＯＬＥＤの異なる駆動電流に対する異なる相対的色点を示す。曲線２４及び２５上の円２６及び２７は第１及び第２ＯＬＥＤの色点を示す。図５に示すように、第１領域２９内において相対的色曲線２４及び２５は同じである。また、第２領域３０において、両曲線は一次的に近似できる。第１領域２９内の相対的色曲線の部分、及び第２領域３０内の一次近似は、光特性シフト関数提供ユニット６によって提供され得る色シフト関数として見なすことができる。
【００６４】
図６は、色シフト関数として見なすことができる一次近似２８を例示的に示す。一次近似２８上にはいくつかの相対的色点３２〜３５が示され、第１相対的色点３５は基準ＤＣ駆動電流である基準電流３９に対応する。第２相対的色点３４は、点線によって示される、所定の振幅及び所定の電流値を有する方形波電流である駆動電流３８に対応する。他の相対的色点３３及び３２は、方形波駆動電流３８より大きな振幅及び小さなパルス幅を有する方形波駆動電流３７及び３６にそれぞれ対応する。図６に例示的に示す互いに異なる方形波駆動電流３６、３７、及び３８は、各点線によって示されるように、同じ平均電流を有する。図６において、目標色窓は長方形３１によって示される。
【００６５】
図７は、同じ種類、例えば同じ製造バッチに対応するが、それにも関わらず目標窓４１内に完全に位置しないＯＬＥＤ群の色点を示す基準色点クラウドを例示的に示す。図７に示す基準色点４０は、対応するＯＬＥＤに流される基準ＤＣ駆動電流に対応する。色シフト関数は、各ＯＬＥＤに関して同じであり、この例においては、通路４２の傾きによって定義される傾きを有する一次関数である。したがって、図７に示す各色点４０は、シフトされた色点が目標窓４１内に含まれるよう、通路４２の辺に平行な直線に沿ってシフトされ得る。言い換えれば、通路４２内の全ての色点を目標窓４１内にシフトすることができる。通路４２の外又は通路４２の辺上にある色点は目標窓４１内にシフトすることはできない。
【００６６】
図８は、初めは目標窓４１外にあった色点が目標窓４１内にシフトされた状況を示す。図８において、目標色窓４１内にシフトされる前の色点は第１種のクロス４３（＋記号）によって示され、目標窓４１の端辺に隣接する対応するシフトされた色点は円４５によって示される。目標窓４１内の第２種のクロス４４は、初めから目標窓４１内に位置し、そのためシフトされなかった色点を示す。四角４６は通路４２の辺の上に位置しており、よって対応する色点は目標窓４１内にシフトすることができなかった。したがって、目標窓４１内のクロス４４に対応するＯＬＥＤは基準ＤＣ駆動電流によって駆動され、目標窓４１内の円４５に対応するＯＬＥＤは、対応する基準色、目標色窓、及び色シフト関数に応じて電流決定ユニット９によって決定される、ある振幅とパルス幅とを有する方形波駆動電流、すなわちデューティサイクルによって駆動される。したがって、目標色窓４１内の円４５に対応する各ＯＬＥＤに関して、色点が、基準色点から円で示される目標窓４１内の色点にシフトされるよう、所与の色シフト関数に基づいて方形波駆動電流の振幅及びオプションでパルス幅が決定される。円４５は目標色窓４１の端辺の近くに配置され、目標色窓４１内のより中央の領域には配置されない。これは、目標色窓４１の端辺に隣接する位置へシフトすることにより、色点を目標色窓４１内にシフトするために必要な電流を最小にできるからである。
【００６７】
電流決定ユニットは、駆動電流、すなわち動作駆動電流を、色シフト関数だけでなく、輝度シフト関数も考慮して決定し得る。この場合、動作駆動電流は、シフトされた色点が目標色窓内に含まれ、シフトされた輝度が目標輝度窓内に含まれるよう決定されてもよい。
【００６８】
経験的に知られる特性に沿ってシフトされることによって、目標窓からの「距離」のみが最小化されるという事実から、補正関数は電流決定装置内にプログラムとして備えられてもよい。これは、時間を浪費し、よって費用がかかる校正処理を要することなく、個々のＯＬＥＤの色の違い及びオプションで輝度の違いを補償する簡単な方法を可能にする。
【００６９】
電流決定装置によって対応する駆動装置に供給される制御信号間の従属性を定めるシフト関数、目標窓、及び／又はドライバ特性は、例えば電流決定装置内に固定されて記憶されてもよく、又は人が所望のパラメータを設定できるよう可変でもよい。パラメータが電力決定装置内に記憶される場合、これは、例えば製造中に達成されてもよく、又はその後のプログラミングステップ中に、プログラミングインターフェイスを用いて電流決定装置内の１つ以上の機構ユニットにパラメータを送ることで達成されてもよい。パラメータがユーザによって設定できる場合、電流決定装置に接続された外部コントローラの信号、すなわち外部コントローラ信号を用いて、電流決定装置内の記憶ユニットに予め記憶されたパラメータの異なるセットから選択することができる。外部コントローラは、例えば電流決定装置に接続されたポテンショメータ（ｐｏｎｔｉｏｍｅｔｅｒ）又はスイッチである。電流決定装置は、ポテンショメータ又はスイッチの実際の位置に対応するパラメータのセットを用いて、ポテンショメータ又はスイッチの位置を調べるよう適合され得る。
【００７０】
電流決定装置２は、個別の駆動ユニットによって個別に駆動される異なる光源に接続され得る。電流決定装置２は、方形波動作駆動電流の振幅及びパルス幅、すなわちデューティサイクルを定義するための制御信号を、各光源毎に個別に生成する。他の実施形態においては、制御信号を生成するために、各光源毎に個別の制御ユニット、具体的には個別の電流決定装置を提供し得る。１つ以上の制御ユニットはマイクロコントローラであり得る。
【００７１】
一実施形態において、輝度シフト関数は、方形波動作駆動電流の振幅からは独立していて、方形波動作駆動電流の平均に従属してもよい。この場合、第１ステップにおいて、基準輝度が目標輝度窓内に無い各光源の平均動作駆動電流を、輝度が目標輝度窓内にシフトされるよう決定し得る。第２ステップでは、電流決定ユニットは、基準色点が始めから目標色窓内に位置していない場合、色点及び／又は輝度がシフトされなければならない各光源の振幅及びパルス幅を、色点が基準色点から目標色窓内の色点にシフトされるよう決定してもよい。動作駆動電流の平均は、第１ステップで決定されたように一定に維持される。この第２ステップにおける方形波動作駆動電流の振幅及びパルス幅の決定は、同じ群の全ての光源に関して同じである色シフト関数に基づく。
【００７２】
上記実施形態において、動作駆動電流は基準色点及びオプションで基準輝度が初めから目標色窓内及びオプションで目標輝度窓内に含まれる場合は基準ＤＣ電流であり、光源の色点及びオプションで輝度が目標色窓内及びオプションで目標輝度窓内にシフトされなければならない場合は方形波動作駆動電流であるが、動作駆動電流は他の形状、例えば正弦波でもよい。
【００７３】
上記実施形態において、電流決定装置は、光源を駆動するための駆動ユニットに供給される制御信号を生成すると説明したが、電流決定装置、特に制御ユニットは、光源に流される動作駆動電流を直接生成するよう適合されてもよい。
【００７４】
上記実施形態において、電流決定装置は、光源群のいくつかの個別の光源のためのいくつかの個別の制御信号を生成するよう適合されているが、電流決定装置は、１つの光源のための制御信号又は動作駆動電流を直接生成するよう適合されてもよい。
【００７５】
上記実施形態では光電はＯＬＥＤであるが、光源は、光源を駆動するための駆動電流の変化に応じて色及び／又は輝度を変化させる他の光源であってもよい。例えば、光源は、ＯＬＥＤではない発光ダイオードでもよい。
【００７６】
上記実施形態では動作駆動電流は方形波電流であったが、他の実施形態においては、動作駆動電流は他の電流形状を有してもよい。例えば、動作駆動電流は台形電流でもよい。また、動作電流が方形波電流である場合、電流は上記のようにゼロとピーク電流との間で交替してもよいし、第１非ゼロ低電流と第２高電流との間で交替してもよい。動作駆動電流が台形形状を有する場合、形状パラメータは、例えば台形形状のピーク電流値、並びに立ち上がりエッジ及び立ち下りエッジの傾きの絶対値である（立ち上がりエッジ及び立ち下がりエッジは同じ絶対傾きを有するとみなす）。動作駆動電流が２つの非ゼロ電流値間を交替する動作駆動電流である場合、形状パラメータは２つの非ゼロ電流値及びパルス幅であり得る。
【００７７】
上記実施形態において、電流決定装置は決定された動作駆動電流に従って光源群の光源を制御する制御ユニットを有するが、他の実施形態においては、制御ユニット及び電流決定装置は別個の装置であり得る。例えば、電流決定装置は、製造拠点で動作駆動電流を決定するためのみに用いられ得る別個の装置であり得る。決定された動作駆動電流、特に、決定された動作駆動電流そのもの及び／又は決定された動作駆動電流に従って光源を駆動する１つ以上の駆動ユニットを制御するための制御信号を制御ユニット内に記憶し得る。また、別個ではあるが相互接続された電流決定装置及び制御ユニットを、ユーザサイト（ユーザの現場）で用いることもできる。この場合、動作駆動電流をユーザサイトで決定し、光源を制御するための制御ユニットによって用いることができる。
【００７８】
開示の実施形態の他の実施形態は、本発明を実施するにあたり、当業者が図面、明細書、及び特許請求の範囲に基づいて理解して実行することができる。
【００７９】
特許請求の範囲において、「有する（又は、含む若しくは備える）」という単語は他の要素やステップを除外せず、要素は複数を除外しない。
【００８０】
単一のユニット又は装置が、請求項内に記載される複数のアイテムの機能を満たし得る。いくつかの手段が互いに異なる独立請求項に記載されているからといって、これらの手段を好適に組み合わせて用いることができないわけではない。
【００８１】
１つ以上のユニット又は装置による、動作駆動電流の決定のような決定及び１つ以上の光源の制御は、あらゆる数のユニット又は装置によって実行することができる。光源群、特に、照明装置に含まれる光源群の１つ以上の光源の、本発明に係る電流決定方法に基づく決定及び／又は制御は、コンピュータプログラムのプログラムコード手段及び／又は専用のハードウェアとして実施することができる。
【００８２】
コンピュータプログラムは、合わせて提供される又は他のハードウェアの一部として提供される光学記憶媒体又はソリッドステート媒体等の適切な媒体上に記憶／分配されてもよいし、他の形態、例えばインターネット、又は他の有線若しくは無線通信システムを介して分配されてもよい。
【００８３】
請求項内の参照番号は、特許請求の範囲を制限すると解されるべきではない。
【００８４】
本発明は、光源群の光源を駆動する動作駆動電流を決定するための電流決定装置に関する。駆動電流に応じて光の色のシフトを定める色シフト関数は、群の全ての光源に関して同じでもよい。動作駆動電流は、光源群の光源の光の色が（各光源に特有であり得る）基準色から目標色窓内の光の色にシフトされるよう、色シフト関数に基づいて決定することができる。異なる光源に同じ色シフト関数を使用できるため、単純な方法により、群の光源が実質的に同じ色の光を出射するように個々の動作駆動電流を決定することができる。
【図１】
0005952903.tif 000002
【図２】
0005952903.tif 000003
【図３】
0005952903.tif 000004
【図４】
0005952903.tif 000005
【図５】
0005952903.tif 000006
【図６】
0005952903.tif 000007
【図７】
0005952903.tif 000008
【図８】
0005952903.tif 000009